(57)【要約】【課題】二つの基板をその板厚方向に積層固定する基板の積層固定構造において、簡素な構成としながら二つの基板の相対的な位置決めを容易に行うことができるようにする。【解決手段】二つの基板２，３と、当該二つの基板２，３をその側部から挟み込むように配される複数の固定具４とを備え、各固定具４は、各基板２，３を個別に把持する二つの把持部４３Ａ，４３Ｂを有し、少なくとも第一基板２が第一把持部４３Ａに把持されるように複数の固定具４を第一基板２に固定した状態において、第二把持部４３Ｂのうち前記第一把持部４３Ａ側と反対側の端部が互いに離間するように固定具４が弾性変形可能である基板の積層固定構造を提供する。【選択図】図１
2011119582.tif 000002
【特許請求の範囲】
【請求項１】
二つの基板をその板厚方向に積層固定する基板の積層固定構造であって、
前記二つの基板と、当該二つの基板をその側部から挟み込むように配される複数の固定具とを備え、
各固定具は、各基板を個別に把持する二つの把持部を有し、
少なくとも第一基板が第一把持部に把持されるように前記複数の固定具を第一基板に固定した状態において、第二把持部のうち前記第一把持部側と反対側の端部が互いに離間するように前記固定具が弾性変形可能であることを特徴とする基板の積層固定構造。
【請求項２】
各固定具が、前記基板の板厚方向に延びる平板部と、前記基板に対向する前記平板部の主面から突出する共に前記板厚方向に互いに間隔をあけて配列された少なくとも三つの突起部とを備え、
互いに隣り合う二つの前記突起部によって一つの前記基板を把持する前記把持部が構成され、
前記平板部の延在方向の一端部に形成されて前記第二把持部を構成する一の突起部に、当該平板部の一端部側から他端部側に向かうにしたがって前記平板部の主面から離れるように傾斜する傾斜案内面が形成されていることを特徴とする請求項１に記載の基板の積層固定構造。
【請求項３】
少なくとも一つの前記固定具が、導電性材料からなり、前記二つの基板を電気接続することを特徴とする請求項１又は請求項２に記載の基板の積層固定構造。
【請求項４】
前記第二把持部の端部に、前記二つの基板から離れる方向に延びる延長板部が一体に形成されていることを特徴とする請求項１から請求項３のいずれか１項に記載の基板の積層固定構造。
【請求項５】
前記第二基板のうち前記第一基板に対向する面と反対側の面に、半導体素子が搭載され、
前記第二基板が、コイルを磁性体内部に埋設して構成され、前記半導体素子の電源回路をなすインダクタであることを特徴とする請求項１から請求項４のいずれか１項に記載の基板の積層固定構造。
【請求項６】
前記第二基板のうち前記第一基板に対向する面と反対側の面に、光を発する半導体素子が搭載され、
前記傾斜案内面が、前記半導体素子からの光を反射可能な反射面をなしていることを特徴とする請求項２から請求項５のいずれか１項に記載の基板の積層固定構造。
【請求項７】
二つの基板を個別に把持する二つの把持部を有する複数の固定具により、前記二つの基板をその板厚方向に積層固定する基板の積層固定方法であって、
第一基板が前記固定具の第一把持部に把持されるように、かつ、前記複数の固定具が第一基板をその側部から挟み込むように、前記複数の固定具を第一基板に固定する第一固定工程と、
第二把持部のうち前記第一把持部側と反対側の端部が互いに離間するように前記固定具を弾性変形させて、第二基板を第一基板に積層するように前記複数の固定具間に挿入し、さらに、第二基板の挿入後に前記固定具が弾性復帰することで、前記複数の固定具の第二把持部に第二基板が把持される第二固定工程と、を備えることを特徴とする基板の積層固定方法。
【発明の詳細な説明】
【技術分野】
【０００１】
この発明は、基板の積層固定構造、及び、基板の積層固定方法に関する。
【背景技術】
【０００２】
従来、二つの基板をその板厚方向に積層固定する手法としては、例えば特許文献１のように、入れ子プレート等の治具やボルト等を使用することで二つの基板の相対的な位置決めをした上で固定している。また、この構成においては、二つの基板を互いに電気接続させるために、電気接続用のパッド（コンタクトパッド）を含む配線パターンが形成された各基板の主面を互いに向かい合わせた状態で、導電性のコンタクト部材を介して２つの基板のパッド同士を電気接続している。
ところで、このような基板の積層体においては、配線パターンを形成した基板の主面に各種半導体素子を搭載することがあるが、ＬＥＤ素子等の半導体素子の種類によっては、例えば図９に示すように、半導体素子１０３が外方に露出するように、一方の基板１０１の主面と反対側の面を他方の基板１０２に対向させた状態で二つの基板１０１，１０２を積層固定する必要がある。この場合には、一方の基板１０１の主面に形成された配線パターン１０４を別個の接続配線板１０５により反対側の面に引き回した上で、接続配線板１０５を他方の基板１０２の主面に半田付け固定することで、二つの基板１０１，１０２を積層固定する。
【先行技術文献】
【特許文献】
【０００３】
【特許文献１】特許２６７０６３６号公報
【発明の概要】
【発明が解決しようとする課題】
【０００４】
しかしながら、特許文献１に記載の基板の積層固定構造では、治具やボルト等、複数種類の部品を用いて二つの基板を相対的に位置決めしているため、基板の積層固定構造が複雑となり、また、二つの基板の積層固定が面倒である、という問題がある。
また、図９に示す基板の積層固定構造では、他方の基板１０２に対して一方の基板１０１を表面実装する構造となるため、他方の基板１０２に対する一方の基板１０１の位置決めが面倒になる、という問題がある。
【０００５】
本発明は、上述した事情に鑑みたものであって、二つの基板の相対的な位置決めを容易に行うことができる簡素な構成の基板の積層固定構造、及び、基板の積層固定方法を提供することを目的とする。
【課題を解決するための手段】
【０００６】
この課題を解決するために、本発明の基板の積層固定構造は、二つの基板をその板厚方向に積層固定する基板の積層固定構造であって、前記二つの基板と、当該二つの基板をその側部から挟み込むように配される複数の固定具とを備え、各固定具は、各基板を個別に把持する二つの把持部を有し、少なくとも第一基板が第一把持部に把持されるように前記複数の固定具を第一基板に固定した状態において、第二把持部のうち前記第一把持部側と反対側の端部が互いに離間するように前記固定具が弾性変形可能であることを特徴とする。
【０００７】
上記積層固定構造によれば、第一基板に複数の固定具を取り付けた後、第二基板を第一基板に積層するように複数の固定具間に挿入する際に、複数の固定具間において第二把持部の端部が互いに離間するように各固定具が弾性変形することで、第二基板を容易に複数の固定具間に挿入することが可能となる。そして、第二基板を複数の固定具間に挿入した後は、各固定具が弾性復帰することで、第二基板を各固定具の第二把持部に把持させることができる。したがって、二つの基板を容易に積層固定することが可能となる。
また、各固定具に対する二つの基板の配置が二つの把持部によって定められているため、二つの基板の相対的な位置決めも容易に行うことができる。
さらに、同一種類の固定具を複数使用するだけで二つの基板を積層状態で固定することが可能であるため、基板の積層固定構造の簡素化を図ることができる。
【０００８】
そして、前記積層固定構造においては、各固定具が、前記基板の板厚方向に延びる平板部と、前記基板に対向する前記平板部の主面から突出する共に前記板厚方向に互いに間隔をあけて配列された少なくとも三つの突起部とを備え、互いに隣り合う二つの前記突起部によって一つの前記基板を把持する前記把持部が構成され、前記平板部の延在方向の一端部に形成されて前記第二把持部を構成する一の突起部に、当該平板部の一端部側から他端部側に向かうにしたがって前記平板部の主面から離れるように傾斜する傾斜案内面が形成されていることが好ましい。
【０００９】
この構成では、第二基板を平板部の一端部側から複数の固定具間に挿入する際に第二基板が傾斜案内面に押し付けられることで、複数の固定具間において前述した第二把持部の端部に相当する平板部の一端部が互いに離間するように、各固定具が弾性変形することになるため、第二基板をさらに容易に複数の固定具間に挿入することができる。
【００１０】
さらに、前記積層固定構造においては、少なくとも一つの前記固定具が、導電性材料からなり、前記二つの基板を電気接続してもよい。
【００１１】
このように、固定具が二つの基板同士の電気接続も兼ねることで、基板の積層固定構造の部品点数を削減することができる。
【００１２】
また、前記積層固定構造においては、前記第二把持部の端部に、前記二つの基板から離れる方向に延びる延長板部が一体に形成されていてもよい。
【００１３】
この構成では、延長板部を電子機器の筐体に固定することで、上記基板の積層固定構造を電子機器に対して容易に取り付けることが可能となる。
また、上記構成では、半導体素子等の電子部品を基板に搭載した場合に、半導体素子において発生した熱を延長板部に伝達して効率よく放熱することができる。特に、延長板部をヒートシンク等の放熱部材に固定することで、さらに効率よく放熱することができる。
【００１４】
さらに、前記積層固定構造では、前記第二基板のうち前記第一基板に対向する面と反対側の面に、半導体素子が搭載され、前記第二基板が、コイルを磁性体内部に埋設して構成され、前記半導体素子の電源回路をなすインダクタであってもよい。
【００１５】
この構成では、半導体素子とは別個にインダクタを搭載する場合と比較して、各基板の小型化を図ることができる。
【００１６】
また、前記積層固定構造においては、前記第二基板のうち前記第一基板に対向する面と反対側の面に、光を発する半導体素子が搭載され、前記傾斜案内面が、前記半導体素子からの光を反射可能な反射面をなしていてもよい。
【００１７】
この場合には、半導体素子から出射される光の一部が、半導体素子が搭載された基板の面方向に向いていても、反射面とされた傾斜案内面において反射することで、この光の方向を基板の積層方向に変更することができる。すなわち、半導体素子から第二基板の上方に効率よく光を向けることができる。
【００１８】
そして、本発明の基板の積層固定方法は、二つの基板を個別に把持する二つの把持部を有する複数の固定具により、前記二つの基板をその板厚方向に積層固定する基板の積層固定方法であって、第一基板が前記固定具の第一把持部に把持されるように、かつ、前記複数の固定具が第一基板をその側部から挟み込むように、前記複数の固定具を第一基板に固定する第一固定工程と、第二把持部のうち前記第一把持部側と反対側の端部が互いに離間するように前記固定具を弾性変形させて、第二基板を第一基板に積層するように前記複数の固定具間に挿入し、さらに、第二基板の挿入後に前記固定具が弾性復帰することで、前記複数の固定具の第二把持部に第二基板が把持される第二固定工程と、を備えることを特徴とする。
【発明の効果】
【００１９】
本発明によれば、二つの基板を容易に位置決めしながら積層固定することができる。また、基板の積層固定構造の簡素化も図ることができる。
【図面の簡単な説明】
【００２０】
【図１】本発明の一実施形態に係る基板の積層固定構造を示す概略断面図である。
【図２】図１の積層固定構造を、第一基板の側から見た状態を示す概略平面図である。
【図３】図１，２の積層固定構造において、第一固定具を示す概略斜視図である。
【図４】図１，２の積層固定構造において、第二固定具を示す概略斜視図である。
【図５】本発明の一実施形態に係る基板の積層固定方法を示す概略断面図である。
【図６】本発明の他の実施形態に係る基板の積層固定構造を示す概略断面図である。
【図７】図６の積層固定構造においてに示すダイパッドにおける補助係合穴の変形例を示す要部拡大断面図である。
【図８】本発明の他の実施形態に係る基板の積層固定構造を示す概略断面図である。
【図９】従来の基板の積層固定構造の一例を示す概略断面図である。
【発明を実施するための形態】
【００２１】
以下、図１〜５を参照して本発明の一実施形態について説明する。
図１，２に示すように、この実施形態に係る基板の積層固定構造（以下、基板積層ユニット１とも呼ぶ。）は、板厚方向（Ｚ軸方向）に積層された二つの基板２，３と、これら二つの基板２，３をその側部から挟み込むようにして配される複数（図示例では六つ）の固定具４とを備えて大略構成されている。なお、図示例においては、二つの基板２，３が平面視矩形に形成され、固定具４は基板２，３の一方の対辺のみに取り付けられているが、例えば他方の対辺にも取り付けられていてよい。また、固定具４は、基板２，３の辺に取り付けられることに限らず、例えば基板２，３の角部に取り付けられてもよい。
各基板２，３の主面２ａ，３ａには、電気的な配線パターン２１，３１が形成されると共に、この配線パターン２１，３１に電気接続されるように半導体素子２２，３２が搭載されている。
【００２２】
一方の基板（第二基板；以下、磁性体基板と呼ぶ。）３は、電気的な絶縁性を有する磁性体３３内部にコイル３４を埋設して構成されるインダクタである。磁性体３３は、コイル３４により発生する磁界から大きな磁束密度を得るために用いられており、透磁率の大きな材料を選択することが好ましい。また、コイル３４の両端は、磁性体基板３の配線パターン３１に電気接続されている。この磁性体基板３に搭載される半導体素子３２は光を発するＬＥＤ素子３２である。
【００２３】
他方の基板（第一基板；以下、電源回路基板と呼ぶ。）２の主面２ａに搭載される半導体素子２２は、ＬＥＤ素子３２を制御するＩＣ等であり、電源回路基板２の配線パターン２１によって互いに電気接続されている。これら電源回路基板２、磁性体基板３、及び、電源回路基板２に搭載される半導体素子２２は、ＬＥＤ素子３２の電源回路を構成している。なお、この電源回路の電源配線５は、図示例のように電源回路基板２の配線パターン２１から引き出してもよいが、例えば電源回路基板２の配線パターン２１に電気接続された固定具４から引き出すことも可能である。
以上のように構成される二つの基板２，３は、後述する固定具４を用いることで、二つの基板２，３の主面２ａ，３ａと反対側の面２ｂ，３ｂ（以下、対向面２ｂ，３ｂと呼ぶ。）を互いに対向させた状態で積層固定される。
【００２４】
各固定具４は、銅材等のように導電性材料からなり、図１〜４に示すように、基板の板厚方向（Ｚ軸方向）に延びる平板部４１と、二つの基板２，３の側部に対向する平板部４１の主面４１ａから突出すると共に前記板厚方向に互いに間隔をあけて配列された複数（図示例では三つ）の突起部４２とを備えて構成されている。
平板部４１は撓むように弾性変形可能に形成されている。また、互いに隣り合う二つの突起部４２，４２は、一つの基板を把持する把持部４３を構成している。すなわち、各固定具４は、二つの基板２，３を個別に把持する二つの把持部４３Ａ，４３Ｂを有している。また、平板部４１の延在方向の中途部分に配された突起部４２Ｂが二つの把持部４３Ａ，４３Ｂの両方を構成している。
【００２５】
平板部４１の延在方向の一端部に形成されて磁性体基板３を把持する把持部（第二把持部）４３Ｂを構成する突起部（一の突起部）４２Ａには、平板部４１の一端部側から他端部側に向かうにしたがって平板部４１の主面４１ａから離れるように傾斜する傾斜案内面４５が形成されている。また、この突起部４２Ａには、平板部４１の他端部側から一端部側に向かうにしたがって平板部４１の主面４１ａから離れるように傾斜する傾斜面４６も形成されている。すなわち、この突起部４２Ａは、平板部４１の側面から見て三角形状に形成されている。
なお、突起部４２Ａの傾斜面４６は、磁性体基板３が第二把持部４３Ｂに把持された状態において、磁性体基板３の主面３ａに傾斜状態で対向する面であり、磁性体基板３の主面３ａとの間に隙間を形成している。一方、他の突起部４２Ｂ，４２Ｃは、各基板２，３が各把持部４３Ａ，４３Ｂに把持された状態で、各基板２，３の主面２ａ，３ａあるいは対向面２ｂ，３ｂに面接触するように形成されている。
【００２６】
これら複数の固定具４には、図３に示すように二つの基板２，３の配線パターン２１，３１を相互に電気接続することを主たる目的とした第一固定具４Ａ、及び、図４に示すように二つの基板２，３の固定力を補強することを主たる目的とした第二固定具４Ｂの二種類がある。
すなわち、第一固定具４Ａの平板部４１の両端部に形成された各突起部４２Ａ，４２Ｃが、各基板２，３の配線パターン２１，３１に直接接触する、あるいは、半田により接合されることで、二つの基板２，３の配線パターン２１，３１が相互に電気接続されている。この第一固定具４Ａは、電源回路において大きな電気抵抗とならないように、幅狭に形成されていることが好ましい。
【００２７】
一方、第二固定具４Ｂは、第一固定具４Ａと比較して、平面視した二つの基板２，３の辺に沿って幅広に形成されており、より広い領域で各基板２，３を把持できるようになっている。
なお、例えば図２に示すように、第二固定具４Ｂが各基板２，３の配線パターン２１，３１に電気接続されていない場合には、第二固定具４Ｂを例えば電気的な絶縁材料によって形成してもよい。また、図示例では、電源回路がショートしないように、相互に隣り合う固定具４同士が間隔をあけて配されているが、第二固定具４Ｂが電気的な絶縁材料によって形成されている場合には、第一固定具４Ａと第二固定具４Ｂとが接触していても構わない。
以上のように構成される各固定具４は、板状部材に切り欠きを形成したり、折り曲げ加工を適宜施すことで製造することが可能である。
【００２８】
次に、基板積層ユニット１を構成するための基板の積層固定方法について説明する。
この場合には、図５に示すように、はじめに電源回路基板２が各固定具４の第一把持部４３Ａに把持されるように、かつ、複数の固定具４が電源回路基板２をその側部から挟み込むように、複数の固定具４を電源回路基板２に固定する（第一固定工程）。
この工程においては、固定具４を電源回路基板２に取り付けた後に、第一把持部４３Ａを構成する突起部４２Ｂ，４２Ｃと電源回路基板２とを半田６により接合しておく。この接合によって、電源回路基板２と各固定具４との固定が補強され、また、第一固定具４Ａと電源回路基板２の配線パターン２１との電気接続の信頼性が向上する。
【００２９】
上記第一固定工程後には、第二把持部４３Ｂのうち第一把持部４３Ａ側と反対側の端部（平板部４１の一端部）が互いに離間するように複数の固定具４を弾性変形させて、磁性体基板３を電源回路基板２に積層するように複数の固定具４間に挿入する（第二固定工程）。この工程においては、磁性体基板３を複数の固定具４間に挿入する際に、磁性体基板３が各固定具４の傾斜案内面４５に押し付けられることで、各固定具４の平板部４１の一端部が互いに離間するように、各固定具４が弾性変形することになる。そして、磁性体基板３の挿入後に固定具４が弾性復帰することで、複数の固定具４の第二把持部４３Ｂに磁性体基板が把持される。
さらに、この工程においては、図１に示すように、磁性体基板３を把持させた後に、第二把持部４３Ｂの突起部４２Ａと磁性体基板３とを半田７により接合しておく。この接合によって、磁性体基板３と各固定具４との固定が補強され、また、第一固定具４Ａと磁性体基板３の配線パターン３１との電気接続の信頼性が向上する。
【００３０】
以上説明したように、本実施形態に係る基板の積層固定構造や積層固定方法によれば、第二固定工程において磁性体基板３を複数の固定具４間に挿入する際に各固定具４を弾性変形させることで、磁性体基板３を容易に複数の固定具４間に挿入することができる。特に、この弾性変形は磁性体基板３を各固定具４の傾斜案内面４５に押し付けることで生じるため、磁性体基板３をさらに容易に複数の固定具４間に挿入できる。すなわち、二つの基板２，３を容易に積層固定することができる。
また、各固定具４に対する二つの基板２，３の配置が二つの把持部４３Ａ，４３Ｂによって定められているため、二つの基板２，３の相対的な位置決めも容易に行うことができる。
さらに、同一種類の固定具４を複数使用するだけで二つの基板２，３を積層状態で固定することが可能であるため、基板の積層固定構造の簡素化を図ることができる。
【００３１】
また、第一固定具４Ａは、二つの基板２，３の積層固定だけでは無く、二つの基板２，３同士の電気接続も兼ねているため、基板の積層固定構造の部品点数削減を図ることも可能となる。
さらに、磁性体基板３自体が、ＬＥＤ素子３２の電源回路を構成するインダクタをなしているため、例えばＬＥＤ素子３２及びインダクタを個別に基板に搭載する場合と比較して、各基板２，３の小型化を図ることができる。
【００３２】
なお、本発明は上述した実施形態に限定されるものではなく、本発明の趣旨を逸脱しない範囲において種々の変更を加えることが可能である。
例えば、固定具４には、図６，７に示すように、二つの基板２，３から離れる方向に延びる延長板部４７が一体に形成されていてもよい。この構成では、ＬＥＤ素子３２や半導体素子２２において生じた熱を延長板部４７に伝達して効率よく放熱することが可能となる。なお、放熱性をさらに高めるためには、例えば上記実施形態の第二固定具４Ｂのように、固定具４を幅広に形成することが好ましく、また、固定具４を放熱性の高い材料によって形成することが好ましい。
さらに、延長板部４７は、二つの基板２，３の板厚方向に沿う各固定具４の両端部の少なくともいずれか一方に形成されていればよいが、図示例の積層固定構造においてはＬＥＤ素子３２の発熱量が最も大きいため、図示例のように、ＬＥＤ素子３２に近い側の端部、すなわち、突起部４２Ａが形成された平板部４１の一端部に形成されていることがより好ましい。
【００３３】
このように固定具４が延長板部４７を備える場合には、延長板部４７を接着剤やねじ等により照明器具等の電子機器を構成する筐体８に固定することで、基板積層ユニットを電子機器に対して容易に取り付けることが可能となる。
なお、基板積層ユニットを取り付ける筐体８部分が、図示例のように板状に形成されている場合には、この筐体８にその厚さ方向に貫通する貫通孔８１を形成してもよい。
このように筐体８が構成されている場合、筐体８の上面８ａ及び下面８ｂのいずれに延長板部４７を固定したとしても、筐体８の上面８ａの上方に向けてＬＥＤ素子３２の光を出射させることが可能となる。なお、図示例のように筐体８の上面８ａに延長板部４７を固定する場合には、二つの基板２，３を貫通孔８１に挿入することもできるため、電子機器の小型化（特に薄型化）を図ることができる。
【００３４】
そして、筐体８全体、あるいは、筐体８のうち延長板部４７を固定する部分が、ヒートシンク等のように放熱性の高い放熱部材である場合には、放熱性のさらなる向上を図ることができる。この場合、延長板部４７を固定する接着剤やねじ等の熱伝導性は、より高いことが好ましい。
さらに、筐体８が導電性を有する場合には、例えば導電性を有する固定具４を介して半導体素子２２やＬＥＤ素子３２、コイル３４等に電気接続されてもよい。すなわち、延長板部４７を電源回路の電源配線として利用してもよい。この場合、延長板部４７を固定する接着剤やねじ等は導電性を有していることが好ましい。そして、筐体８が図示例のように一体に形成されるものであれば、筐体８を電源回路のグランド配線として利用することが可能となる。また、筐体８が複数に分割されて互いに電気的に絶縁されていれば、筐体８の各分割部分に別個の延長板部４７を固定することで、筐体８を電源回路の電源電極（正極と負極）として利用することも可能である。
【００３５】
また、磁性体基板３の主面３ａ側に配される突起部４２Ａの傾斜案内面４５は、例えば図８に示すように、ＬＥＤ素子３２からの光を反射可能な反射面をなしていてもよい。この場合、傾斜案内面４５は大きく設定されることがより好ましい。この構成では、ＬＥＤ素子３２から出射される光の一部が、磁性体基板３の面方向に向いていても、反射面とされた傾斜案内面４５において反射することで、この光の方向を基板２，３の積層方向に変更することができる。すなわち、ＬＥＤ素子３２から磁性体基板３の主面３ａの上方に効率よく光を向けることができる。
さらに、各固定具４において磁性体基板３の主面３ａに対向する突起部４２Ａの面は、磁性体基板３の主面３ａとの間に隙間が画成されるように傾斜面４６に形成されることに限らず、例えば磁性体基板３の主面３ａに面接触するように形成されても構わない。
【００３６】
また、各固定具４においては、二つの把持部４３Ａ，４３Ｂが、平板部４１の延在方向の中途部分に形成された同一の突起部４２Ｂによって構成されるとしたが、例えばそれぞれ別個の突起部によって構成されてもよい。すなわち、各固定具４においては、例えば平板部４１の延在方向に互いに間隔をあけて四つの突起部が配列されていても構わない。
この場合には、例えば電源回路基板２の主面２ａを磁性体基板３に対向させた状態で、二つの基板２，３を積層することも可能となる。すなわち、平板部４１の延在方向に隣り合う第一把持部４３Ａの突起部と第二把持部４３Ｂの突起部との間隔を調整することで、電源回路基板２に搭載される半導体素子２２が磁性体基板３に干渉することを防止できる。
さらに、上記実施形態においては、固定具４が二つの基板２，３をその側部から挟み込むように複数対取り付けられるとしたが、少なくとも一対取り付けられていればよい。
【００３７】
また、上記実施形態においては、電源回路基板２に複数の固定具４を固定した後に、各固定具４の弾性変形を利用して磁性体基板３を複数の固定具４に把持させるとしたが、例えば、磁性体基板３に複数の固定具４を固定した後に、各固定具４の弾性変形を利用して電源回路基板２を複数の固定具４に把持させてもよい。
さらに、磁性体基板３にはＬＥＤ素子３２が搭載されるとしたが、例えば他の半導体素子が搭載されてもよい。また、二つの基板２，３には半導体素子が搭載されることに限らず、少なくとも各種電子回路を構成する電子部品が搭載されていればよい。
【００３８】
また、上記実施形態においては、電源回路基板２と磁性体基板３との積層固定について述べたが、本発明は、少なくとも主面２ａ，３ａに電気的な配線パターン２１，３１が形成された二つの基板２，３の積層固定に適用することが可能である。さらに、二つの基板２，３は、平面視矩形に形成されることに限らず、例えば他の多角形状、円形状等の任意の平面視形状に形成されていてよい。
【符号の説明】
【００３９】
１  基板積層ユニット（基板の積層固定構造）
２  電源回路基板（第一基板）
２ａ  主面
２ｂ  対向面
２１  配線パターン
２２  半導体素子
３  磁性体基板（第二基板）
３ａ  主面
３ｂ  対向面
３１  配線パターン
３２  ＬＥＤ素子（半導体素子）
３３  磁性体
３４  コイル
４，４Ａ，４Ｂ  固定具
４１  平板部
４２，４２Ａ，４２Ｂ，４２Ｃ  突起部
４３Ａ  第一把持部
４３Ｂ  第二把持部
４５  傾斜案内面
４６  傾斜面
４７  延長板部
５  電源配線
６，７  半田
８  筐体
８１  貫通孔
【図１】
2011119582.tif 000003
【図２】
2011119582.tif 000004
【図３】
2011119582.tif 000005
【図４】
2011119582.tif 000006
【図５】
2011119582.tif 000007
【図６】
2011119582.tif 000008
【図７】
2011119582.tif 000009
【図８】
2011119582.tif 000010
【図９】
2011119582.tif 000011